【事件の表示】
　特願２０１０−５０８９５１「知覚・認知可能な刺激手段の寄与を制御することにより、特定の雰囲気を自動的に生成するシステム及び方法」拒絶査定不服審判事件〔平成２０年１１月２７日国際公開、ＷＯ２００８／１４２６４４、平成２２年　８月２６日国内公表、特表２０１０−５２９７１９〕について、次のとおり審決する。
【結　論】
　本件審判の請求は、成り立たない。
【理　由】
第１　手続の経緯
　
　本願は、２００８年５月２１日（パリ条約による優先権主張外国庁受理　２００７年５月２４日　（ＥＰ）欧州特許庁）を国際出願日とする出願であって、平成２５年９月２０日付けで拒絶査定がなされ、これに対して平成２６年１月３１日に拒絶査定に対する審判請求がなされるとともに同日付けで手続補正がなされたものである。
　
　
第２　補正却下の決定
［結論］
  平成２６年１月３１日付けの手続補正を却下する。
　
　
［理由］
１　本願発明と補正後の発明
　
  平成２６年１月３１日付け手続補正（以下、「本件補正」という。）は、平成２５年６月１１日付け手続き補正書の特許請求の範囲の請求項９に記載された
　
「【請求項９】
　知覚・認知可能な刺激手段の寄与を制御することにより、特定の雰囲気を自動的に生成する方法であって、前記方法は、
　データ担体から入力データを読み取る工程と、
　前記入力データを雰囲気設定の提供者に送信する工程と、
　前記受け取られた入力データを特定の雰囲気設定にマッピングする工程と、
　前記特定の雰囲気設定を雰囲気コントローラに送信する工程と、
　前記雰囲気コントローラにおける前記受け取られた雰囲気設定を処理し、前記知覚・認知可能な刺激手段に対する制御信号を生成する工程と、
　前記制御信号を前記知覚・認知可能な刺激手段に送信する工程とを含み、
　前記入力データは特定の雰囲気設定に対する参照を含み、前記特定の雰囲気設定に対する、前記受け取られた入力データの前記マッピングはインターネット・サービスによって実行される方法。」
　
　という発明（以下、「本願発明」という。）を、
　
「【請求項９】
　知覚・認知可能な刺激手段の寄与を制御することにより、特定の雰囲気を自動的に生成する方法であって、前記方法は、
　データ担体から入力データを読み取る工程と、
　前記入力データを雰囲気設定の提供者に送信する工程と、
　前記受け取られた入力データを特定の雰囲気設定にマッピングする工程であって、前記特定の雰囲気設定は、インターネット・サーバにあるディジタル著作権管理システムによって生成される工程と、
　前記特定の雰囲気設定を雰囲気コントローラに送信する工程と、
　前記雰囲気コントローラにおける前記受け取られた雰囲気設定を処理し、前記知覚・認知可能な刺激手段に対する制御信号を生成する工程と、
　前記制御信号を前記知覚・認知可能な刺激手段に送信する工程とを含み、
　前記入力データは特定の雰囲気設定に対する参照を含み、前記特定の雰囲気設定に対する、前記受け取られた入力データの前記マッピングはインターネット・サービスによって実行される方法。」
　
　という発明（以下、「補正後の発明」という。）に補正することを含むものである。　　　
　
　
２　補正事項の整理
　本件補正による特許請求の範囲の請求項９についての補正を整理すると次のとおりとなる。（当審注．下線は補正箇所を示し、当審で付加したもの。） 
　・補正事項
　補正前の請求項９の「前記受け取られた入力データを特定の雰囲気設定にマッピングする工程と、」を、「前記受け取られた入力データを特定の雰囲気設定にマッピングする工程
であって、前記特定の雰囲気設定は、インターネット・サーバにあるディジタル著作権管理システムによって生成される工程
　
３　補正の適否
　本願の願書に最初に添付した明細書の段落【００１５】の記載から、補正事項は本願の願書に最初に添付した明細書、特許請求の範囲又は図面に記載された事項の範囲内においてされたものであることは明らかであるので、補正事項は、特許法第１７条の２第３項の規定に適合する。
　そして、補正事項は、補正前の請求項９における「前記受け取られた入力データを特定の雰囲気設定にマッピングする工程」について、「前記特定の雰囲気設定は、インターネット・サーバにあるディジタル著作権管理システムによって生成される」ことを限定するもので、補正前の請求項９に記載された発明特定事項を限定的に減縮するから、特許法第１７条の２第４項の規定に適合することは明らかであり、また、同法第１７条の２第５項第２号に掲げる特許請求の範囲の減縮を目的とするものに該当する。 
　
４　独立特許要件についての検討 
（１）検討の前提
　上記３で検討したとおり、本件補正による請求項９についての補正事項は、特許法第１７条の２第５項第２号に掲げる、特許請求の範囲の減縮を目的とするものに該当するから、本件補正後の請求項９に記載された事項により特定される発明が、特許出願の際独立して特許を受けることができるものであるか否かにつき、更に検討する。
　
（２）補正後の発明　
　上記「１．本願発明と補正後の発明」の項で、「補正後の発明」として認定したとおりのものである。
　
（３）引用例の記載と引用発明、及び周知例
　ア　引用例の記載と引用発明
　（ア）引用例の記載　
　原査定の拒絶の理由において引用された、国際公開第２００６／０７５２９９号公報（以下、「引用例」という。）には、図面とともに以下の事項が記載されている。（［当審注］：当審仮訳は、引用例の公表公表である特表２００８−５２９５６０号公報の記載に基づく。また、下線は当審において付加した。以下、同じ。）
　　
　ａ「The invention relates to a system for varying the atmosphere in a room, the system comprising at least one adjustable atmosphere-creating device and control means for adjusting said device.Such an atmosphere-creating device may be one or more lamps for lighting the room, and/or a music-producing device such as a CD-player, and/or an air- conditioning device for establishing a certain temperature in the room, etc.
　Adjustment of the atmosphere in a room may be desired in order to adapt it to the wishes of the person or persons being present in this room, and often such wishes depend on the activity that the persons are planning to do. For example, when coming home after a workday, it may be desired to switch on relaxing music and provide sufficient lighting in the living-room to read the newspaper. Or, in other circumstances, it may be desired to provide diffuse lighting and romantic music, for example, when the person or persons in the room like to drink a glass of wine before bed-time.
　In order to automatically adapt the atmosphere in a room to the wishes of the persons in this room, atmosphere-creating devices can be controlled in dependence upon the time of day, and/or the weather, and/or other data that can be programmed in the control means, and/or circumstances that can be detected by the control means.
　It is an object of the invention to provide a system for automatically varying the atmosphere in a room, wherein the atmosphere is adapted in dependence upon the activity that the person or persons in the room intend to do and/or wherein an atmosphere is created which is associated with a product that is used or consumed in this room.」（１頁）
　
（［当審仮訳］：
　
本発明は、室内の雰囲気を変化させるシステムであって、少なくとも１つの調整可能な雰囲気生成装置と、前記装置を調整する制御手段とを有するシステムに関する
　室内の雰囲気の調整は、該雰囲気を室内に居る（複数の）人の願いに適応化させるために望まれ得るものであり、前記のような願いは、しばしば、当該人が行おうとしている活動に依存するものである。例えば、勤務後に帰宅する場合、リラックスさせる音楽をオンに切り換え、新聞を読むためにリビングルームに十分な照明を供給したいと願うかもしれない。又は、他の状況において、例えば、室内の（複数の）人が、就寝前にグラス１杯のワインを飲みたい場合、拡散照明及びロマンティックな音楽を供給したいと願うかもしれない。
　
室内の雰囲気を、この室内の人の願いに自動的に適応化させるために、雰囲気生成装置は
制御手段内にプログラムされることができる他のデータに
依存して制御されることができる
　
本発明の目的は、室内の雰囲気を自動的に変化させるシステムであって
この部屋で使用されている又は消費されている製品と関連付けられている雰囲気が生成される、システムを提供する
　
　ｂ「The presence of the consumer product, and the information carried by it, can be detected in several ways. 
　　　・・・（中略）・・・
　The consumer product may carry a bar code comprising the information, with a barcode reader being present in the room where the product is used or consumed. However, in one preferred embodiment, the consumer product, or its container, is provided with a data- emitting member, preferably a radio frequency (RF) tag, more preferably a passive radio frequency tag.」（２頁）
　
（［当審仮訳］：
　
前記消費者製品と、該消費者製品によって担持されている情報との存在は、幾つかの仕方において検出されることができる。
　前記消費者製品は、情報を含んでいるバーコードであっても良く、バーコードリーダが、前記のような製品が使用される又は消費される室内に設けられる。
しかしながら、１つの好適な実施例において、前記消費者製品又は該消費者製品の容器は、データを発する要素、好ましくは無線周波数（ＲＦ）タグ、より好ましくは受動的無線周波数タグを具備している
　
　ｃ「In one preferred embodiment, said control means are connected to the Internet and can search for information about a predetermined adjustment of the atmosphere-creating device in dependence upon an identification code carried by the consumer product. The manufacturer of the consumer product, or another company, can put the required information about the adjustment of the atmosphere-creating devices on an Internet site, which site can be visited automatically after a certain identification code of the consumer product is read by the reader and forwarded to the control device.」（４頁）
　
（［当審仮訳］：
　一つの好適実施例において、前記
制御手段はインターネットに接続されており、前記消費者製品によって担持されている識別コードに依存して、前記雰囲気生成装置の所定の調整に関する情報を検索することができる
インターネットサイト上に、前記雰囲気生成装置の調整に関して必要とされる情報を置くことができ
サイトは、前記消費者製品の或る識別コードがリーダによって読み取られ、前記制御装置に転送された後に、自動的に訪問されることができる
　
　ｄ「Figure 1 shows diagrammatically the system with which the atmosphere in a bathroom is varied in dependence upon the kind of bath oil used during bathing. The container 1 (bottle) with the chosen bath oil is provided with a passive radio frequency tag 2 in which certain information is stored, which information includes settings of a number of atmosphere-creating devices 3,4,5,6. A radio frequency reader 7 is present in the bathroom, which device generates an electromagnetic field that powers the passive radio frequency tag 2 when this tag 2 is held close to the radio frequency reader 7 as is shown in Figure 1. Then the radio frequency tag 2 broadcasts its information to the reader 7, which information is forwarded to the control device 8. The control device 8 is connected with four atmosphere- creating devices: the lighting system 3 in the bathroom; a music-producing apparatus 4, in this case a CD-player; a heating apparatus 5 for keeping the temperature in the bathroom at a desired value; and a perfume dispenser 6 for spreading a certain perfumed odour. 」（５頁）
　
（［当審仮訳］：
　
図１は、これによってバスルーム内の前記雰囲気が入浴の間に使用されるバスオイルの種類に依存して変化されるシステムを、模式的に示している。選択されたバスオイルを有する容器１（瓶）が、或る情報が記憶されている受動的無線周波数タグを具備しており、前記情報は、複数の雰囲気生成装置３、４、５、６の設定を含んでいる
無線周波数読み取り器７は、前記バスルーム内に設けられており
無線周波数タグ２は、前記読み取り器７に自身の情報を放送し、前記情報は、制御装置８に転送される
制御装置８は、４つの雰囲気生成装置に接続されており、該４つの雰囲気生成装置は、前記バスルーム内の照明システム３、音楽生成装置４（この場合、ＣＤプレーヤ）、前記バスルーム内の温度を所望の値に保持する加熱装置５、及び或る芳香を拡散する芳香ディスペンサ６である
　
　ｅ「With reference to Figure 1, Figure 2 is a flowchart of the process of reading the radio frequency tag 2 on the bath oil container 1 and using its contents to create a predetermined atmosphere in the bathroom, according to the described embodiment of the invention. The process starts (process step 11) when the person who wants to take a bath holds (process step 12) the container 1 containing the bath oil that he wants to use during bathing near the radio frequency reader 7. The information in the radio frequency tag is read (process step 13) by the reader 7 and is forwarded (process step 14) to the control device 8. Then the control device 8 defines settings (process step 15) for the different atmosphere- creating devices 3,4,5,6, which settings are prescribed in the information received from the reader 7. The appropriate control signals are sent (process step 16) to each atmosphere- creating device 3,4,5,6, and each atmosphere-creating device 3,4,5,6 is adjusted (process step 17) in accordance with the control signal sent to it. The process is terminated (process step 18), and the person can take his bath in an atmosphere predetermined by the bath oil manufacturer.」（５頁〜６頁）
　
（［当審仮訳］：
　図１に関連して、
図２は、本発明の上述された実施例による、バスオイル容器１における無線周波数タグ２を読み取り、前記バスルーム内の所定の雰囲気を生成するように自身の中身を使用する過程のフローチャートである
無線周波数タグ内の情報は、読み取り器７によって読み取られ（過程のステップ１３）
制御装置８に転送される（過程のステップ１４）
次いで、制御装置８は、種々の雰囲気生成装置３、４、５、６に対する設定（過程のステップ１５）を規定し
前記設定は、読み取り器７から受け取られた情報に予め記述されている
適切な制御信号が、雰囲気生成装置３、４、５、６の各々に送信され（過程のステップ１６、雰囲気生成装置３、４、５、６の各々は、自身に送信された前記制御信号に従って調整される（過程のステップ１７）
人は、前記バスオイルの製造者によって予め決定されている雰囲気において入浴することができる
　　
　　
（イ）引用発明
　ａ　上記（ア）ａによれば、引用例には、少なくとも１つの調整可能な雰囲気生成装置と、上記装置を調整する制御手段とを有する、室内の雰囲気を変化させるシステムにおいて、上記雰囲気生成装置が、上記制御手段内にプログラムされることができる他のデータに依存して制御されることで、室内の雰囲気を自動的に変化させることが記載されている。
　そして、上記（ア）ｄによれば、上記制御手段が、バスルーム内の照明システム３、音楽生成装置４（ＣＤプレーヤ）、上記バスルーム内の温度を所望の値に保持する加熱装置５、及び或る芳香を拡散する芳香ディスペンサ６の４つの雰囲気生成装置に接続され、バスルーム内の雰囲気が入浴の間に使用されるバスオイルの種類に依存して変化されるシステムが記載されている。
　そうすると、引用例には、バスルーム内の照明システム３、音楽生成装置４（ＣＤプレーヤ）、上記バスルーム内の温度を所望の値に保持する加熱装置５、及び或る芳香を拡散する芳香ディスペンサ６の４つの雰囲気生成装置を、制御手段内にプログラムされることができる他のデータに依存して制御することにより、上記バスルーム内の雰囲気を、使用されるバスオイルの種類に依存して自動的に変化させる方法が記載されていると認められる。
　ｂ　上記（ア）ｂから、引用例には、消費者製品又は消費者製品の容器は、無線周波数（ＲＦ）タグを具備し、これによって情報を担持することが記載されていると認められる。
　また、上記（ア）ｃから、引用例には、雰囲気生成装置を調整する制御手段がインターネットに接続されており、消費者製品によって担持されている識別コードに依存して、上記雰囲気生成装置の所定の調整に関する情報を検索することができ、上記消費者製品の識別コードがリーダによって読み取られ、上記制御手段に転送された後に、上記雰囲気生成装置の調整に関して必要とされる情報が置かれたインターネットサイトを自動的に訪問することが記載されていると認められる。
　してみれば、これらの記載から、引用例には、消費者製品又は消費者製品の容器が具備する無線周波数タグ内の識別コードがリーダによって読み取られ、雰囲気生成装置を調整する制御手段に転送された後に、上記識別コードに依存して、上記雰囲気生成装置の調整に関して必要とされる情報が置かれたインターネットサイトを自動的に訪問することが記載されていると認められる。
　ところで、上記（ア）ｄ及びｅから、引用例には、バスオイルを有する容器１が具備する無線周波数タグ内の情報を読み取り器７によって読み取ること、読み取った上記情報を制御装置８に転送すること、及び上記制御装置８は、上記４つの雰囲気生成装置３、４、５、６に接続され、上記制御装置８から送信される制御信号により、上記雰囲気生成装置３、４、５、６の各々が調整されることが、それぞれ記載されていると認められる。
　そして、上記検討のとおり、上記バスオイルを有する容器１が具備する無線周波数タグ内の識別コードに依存して、上記４つの雰囲気生成装置３、４、５、６の調整に関して必要とされる情報が置かれたインターネットサイトを自動的に訪問することは、引用例に記載されていると認められ、その場合に、インターネットサイトに置かれた上記４つの雰囲気生成装置３、４、５、６の調整に関して必要とされる情報が上記制御装置８に送信されること、及び上記制御装置８において上記情報から上記制御信号を生成することは明らかである。
　そうすると、引用例には、バスオイルを有する容器１が具備する無線周波数タグ内の識別コードを読み取り器７によって読み取ること、読み取った上記無線周波数タグ内の識別コードを制御装置８に転送した後、上記無線周波数タグ内の識別コードに依存して、雰囲気生成装置の調整に関して必要とされる情報が置かれたインターネットサイトを自動的に訪問すること、上記インターネットサイトに置かれた雰囲気生成装置の調整に関して必要とされる情報を、上記制御装置８に送信すること、上記制御装置８において上記情報から上記制御信号を生成すること、及び上記制御信号を上記４つの雰囲気生成装置３、４、５、６の各々に送信することが、実質的に記載されていると認められる。
　ｃ　上記ａ及びｂより、引用例には、次の発明（以下「引用発明」という。）が記載されていると認められる。
　
　「バスルーム内の照明システム３、音楽生成装置４（ＣＤプレーヤ）、上記バスルーム内の温度を所望の値に保持する加熱装置５、及び或る芳香を拡散する芳香ディスペンサ６の４つの雰囲気生成装置を、制御手段内にプログラムされることができる他のデータに依存して制御することにより、上記バスルーム内の雰囲気を、使用されるバスオイルの種類に依存して自動的に変化させる方法であって、該方法は、
　バスオイルを有する容器１が具備する無線周波数タグ内の識別コードを読み取り器７によって読み取ること、
　読み取った上記無線周波数タグ内の識別コードを上記制御装置８に転送した後、上記無線周波数タグ内の識別コードに依存して、雰囲気生成装置の調整に関して必要とされる情報が置かれたインターネットサイトを自動的に訪問すること、
　上記インターネットサイトに置かれた雰囲気生成装置の調整に関して必要とされる情報を、上記制御装置８に送信すること、
　上記制御装置８において上記雰囲気生成装置の調整に関して必要とされる情報から制御信号を生成すること、
　上記制御信号を上記４つの雰囲気生成装置３、４、５、６の各々に送信すること
を含む方法。」　
　
イ　周知例
（ア）周知例１
　本願の優先日前に日本国内において頒布された刊行物である、特開２００６−６７４３４号公報（以下「周知例１」という。）には、次の記載がある。
　ａ「【０００２】
　近年、導入されつつある第３世代の移動体通信システムにおいては同一の移動端末を世界中で共通に使用することができるように標準化が進められており、ＷＡＰ（Wireless Application Protocol）及びＭＭＳ（Multimedia Messaging Service）の規格が共通仕様として採用されている（非特許文献１）。以下、ＷＡＰ及びＭＭＳ対応の移動端末を単に「ＷＡＰ対応端末」と呼ぶ。
　このようなＷＡＰ対応端末においては、
OMA DRM（OMA Digital Rights Management）version 1.0に準拠した著作権管理が行われることとなる。OMA DRMは、携帯電話用アプリケーション標準化団体であるオープンモバイルアライアンス（Open Mobile Alliance）が策定したデジタル著作権保護（ＤＲＭ：Digital Rights Management）の仕様である
【０００３】
　OMA DRM ver1.0においては、コンテンツの配信方式として、(1) フォワード・ロック（Forward Lock）、(2) コンバインド・デリバリー（Combined Delivery）、及び、(3) セパレート・デリバリー（Separate Delivery）の３つの仕様が規定されている。
　
(1) フォワード・ロック（Forward Lock）は、取得したコンテンツの転送を許容しない方式である。　(2) コンバインド・デリバリー（Combined Delivery）は、フォワード・ロック方式のコンテンツに権利（使用権の設定）を付加して配信する方式である。　(3) セパレート・デリバリー（Separate Delivery）は、暗号化されたコンテンツ（Media Object：メディアオブジェクト、ＭＯ）と、権利＋鍵（暗号化を解除するための鍵）部分（Rights Object：権利オブジェクト、ＲＯ）とを別々に配信する方式である。
　
　ｂ「【００１１】
  
１１はインターネット、１２はユーザからの要求に応じてコンテンツを提供するコンテンツ・プロバイダ（ＣＰ：Contents Provider）である。  ＣＰ１２には、コンテンツをＤＲＭ対応形式に変換する一連の処理（パッケージング）を行うためのパッケージング・ツール（Packaging Tool）が備えられており、前記ＰＳ１０などと連携してコンテンツ（メディアオブジェクト）のパッケージングを行い、コンテンツファイルを作成する。すなわち、原コンテンツや権利情報を入力として、暗号化されたコンテンツを含むコンテンツファイルを作成する
コンテンツファイルのヘッダ部分にその暗号化されたコンテンツに関する著作権情報（タイトル、演奏者、著作権者などのそのコンテンツに関する詳細情報）の記述を含ませるようにしている
　
（イ）周知例２
　本願の優先日前に日本国内において頒布された刊行物である、特開２００６−１１５０９号公報（以下「周知例２」という。）には、次の記載がある。
　ａ「【００２９】
　＜システム構成＞
  次に、図１に基づいて、本発明の第１の実施形態にかかるコンテンツ配信システム１００の全体構成について説明する。なお、
図１は、本発明の第１の実施形態にかかるコンテンツ利用システム１００の全体構成を概略的に示すブロック図である
【００３０】
　
図１に示すように、コンテンツ配信システム１００は、ユーザ端末であるライセンス評価装置１０と、例えば、コンテンツ配信サーバ２０と、ライセンス提供サーバ２５と、これらを相互に接続するネットワーク５と、から構成される。このコンテンツ配信システム１００は、コンテンツ配信サーバ２０から各種のコンテンツＣを、ネットワーク５を介してライセンス評価装置１０に配信し、ライセンス提供サーバ２５からコンテンツＣに対応するライセンスＬを、ネットワーク５を介してライセンス評価装置１０に提供し、ライセンス評価装置１０においてかかるコンテンツＣをライセンスＬに基づいて使用（再生、チェックアウト、リッピング、コピー、ＰＤ（Ｐｏｒｔａｂｌｅ  Ｄｅｖｉｃｅ）等への転送、編集など）するためのシステムである
　　・・・（中略）・・・
【００３４】
　
コンテンツ配信サーバ２０およびコンテンツ提供配信サーバ２５は、例えば、コンテンツ配信サービスを提供するサービスプロバイダなどが所有するサーバ装置である。これらサーバ２０、２５は、サーバ機能を備えた１又は２以上のコンピュータ装置などで構成される
【００３５】
　
このうち、コンテンツ配信サーバ２０は、ユーザが利用可能なコンテンツＣを保存しており、ライセンス評価装置１０等から配信要求を受けたコンテンツＣを、ネットワーク５を介してライセンス評価装置１０に配信する
【００３６】
　
このようにコンテンツ配信サーバ２０から配信されるコンテンツＣは、例えば、著作権保護されたコンテンツであり
暗号化されたコンテンツデータに対して、当該コンテンツの属性情報やコンテンツ鍵を含むセキュリティ情報が付加されている
　
　ｂ「【００３８】
　なお、図１では、２つのサーバ２０、２５を図示しているが、かかる例に限定されず、例えば、コンテンツ配信サーバ２０およびコンテンツ提供配信サーバ２５を１つのサーバ装置で構成してもよいし、或いは、コンテンツ配信に関する機能・用途に応じて、上記以外にも他のサーバを設けてもよい。この他のサーバの例としては、例えば、ライセンスの発行に応じて課金処理を行う課金サーバや、
コンテンツを使用するためのアプリケーションや著作権管理用プログラム（ＤＲＭモジュール等）の各種ソフトウェアを提供するソフトウェア提供サーバ、などが挙げられる
【００３９】
  ネットワーク５は、情報処理装置１０とサーバ２０を双方向通信可能に接続する通信回線網である。
このネットワーク５は、例えば、インターネット
　
　ｂ「【００８８】
　上記
セキュリティ情報２４０、２４２、２４４は、コンテンツの著作権管理を行うための情報（ＳＩＮＦ：Ｓｅｃｕｒｉｔｙ  Ｉｎｆｏｒｍａｔｉｏｎ）であり、例えばコンテンツ配信サーバ２０によって、トラック毎に付加される
　
　ｃ「【００９１】
　上記属
性情報（Ａｔｔｒｉｂｕｔｅ）２６０は、コンテンツＣの属性を表す情報であり
コンテンツＣの属性は、コンテンツＣの著作権管理面での性質、特徴（例えば、ステータス、ファイル、トラック等）のみならず、コンテンツＣの内容面での性質、特徴（例えば、コンテンツの監督、主演俳優等）なども含む
　
（ウ）当該技術分野における周知技術
　上記（ア）及び（イ）から、インターネットによって送信されるコンテンツデータの著作権の管理を、コンテンツデータの送信を行うサーバにディジタル著作権管理システムを設け、コンテンツデータに著作権の管理データを付与したデータを作成して行うことは、周知例１及び２にみられるように、本願の優先日前、当該技術分野では周知の技術と認められる。
　
（４）補正後の発明と引用発明との対比
　ア　引用発明における「バスルーム内の照明システム３、音楽生成装置４（ＣＤプレーヤ）、上記バスルーム内の温度を所望の値に保持する加熱装置５、及び或る芳香を拡散する芳香ディスペンサ６の４つの雰囲気生成装置」は、補正後の発明の「知覚・認知可能な刺激手段」に相当し、引用発明における「４つの雰囲気生成装置を、制御手段内にプログラムされることができる他のデータに依存して制御すること」は、補正後の発明の「知覚・認知可能な刺激手段の寄与を制御すること」に相当するといえる。
　そして、引用発明における「上記バスルーム内の雰囲気を、使用されるバスオイルの種類に依存して自動的に変化させる」ことは、補正後の発明の「特定の雰囲気を自動的に生成する」ことに相当するといえる。
　そうすると、引用発明は、補正後の発明と同様「知覚・認知可能な刺激手段の寄与を制御することにより、特定の雰囲気を自動的に生成する方法」ということができる。
　イ　引用発明における「バスオイルを有する容器１が具備する無線周波数タグ」及び「バスオイルを有する容器１が具備する無線周波数タグ内の識別コード」は、それぞれ、補正後の発明の「データ担体」及び「入力データ」に相当するといえる。
　そうすると、引用発明は、補正後の発明における「データ担体から入力データを読み取る工程」に相当する構成を備えるといえる。
　ウ　引用発明における「雰囲気生成装置の調整に関して必要とされる情報が置かれたインターネットサイト」は、補正後の発明の「雰囲気設定の提供者」に相当するといえる。
　そして、引用発明の「読み取った上記無線周波数タグ内の識別コードを上記制御装置８に転送した後、上記無線周波数タグ内の識別コードに依存して、雰囲気生成装置の調整に関して必要とされる情報が置かれたインターネットサイトを自動的に訪問する」ことにおいて、「制御装置８」が「無線周波数タグ内の識別コード」を「雰囲気生成装置の調整に関して必要とされる情報が置かれたインターネットサイト」に送信することは明らかである。
　そうすると、引用発明には、「前記入力データを雰囲気設定の提供者に送信する工程」に相当する構成を備えるといえる。
　エ　後述する相違点に係る構成を除き、補正後の発明の「特定の雰囲気設定」と引用発明における「上記インターネットサイトに置かれた雰囲気生成装置の調整に関して必要とされる情報」とは、「雰囲気設定に関して必要とされる情報」である点で共通するといえる。
　また、引用発明における「制御装置８」は、補正後の発明の「雰囲気コントローラ」に相当するといえる。
　そして、引用発明は、「無線周波数タグ内の識別コードに依存して、雰囲気生成装置の調整に関して必要とされる情報が置かれたインターネットサイトを自動的に訪問する」もので、上記（ア）ｃより、上記識別コードに依存して、上記雰囲気生成装置の調整に関して必要とされる情報を検索するものといえるから、引用発明において、「無線周波数タグ内の識別コード」と「雰囲気生成装置の調整に関して必要とされる情報」との対応付け、すなわちマッピングがされていることは明らかである。
　そうすると、後述する相違点に係る構成を除き、補正後の発明と引用発明とは、「前記受け取られた入力データを雰囲気設定に関して必要とされる情報にマッピングする工程」、及び「前記雰囲気設定に関して必要とされる情報を雰囲気コントローラに送信する工程」を備える点で共通するということができる。
　オ　引用発明における「制御信号」は、「バスルーム内の照明システム３、音楽生成装置４（ＣＤプレーヤ）、上記バスルーム内の温度を所望の値に保持する加熱装置５、及び或る芳香を拡散する芳香ディスペンサ６の４つの雰囲気生成装置」の各々に送信されるから、補正後発明の「（前記知覚・認知可能な刺激手段に対する）制御信号」に相当するといえる。
　そうすると、補正後の発明の「前記受け取られた雰囲気設定」（すなわち「特定の雰囲気設定」）と引用発明の「上記雰囲気生成装置の調整に関して必要とされる情報」との後述する相違点に係る構成を除き、補正後の発明の「前記雰囲気コントローラにおける前記受け取られた雰囲気設定を処理し、前記知覚・認知可能な刺激手段に対する制御信号を生成する工程」と、引用発明の「上記制御装置８において上記雰囲気生成装置の調整に関して必要とされる情報から制御信号を生成すること」とは、「前記雰囲気コントローラにおける前記受け取られた雰囲気設定に関して必要とされる情報を処理し、前記知覚・認知可能な刺激手段に対する制御信号を生成する工程」である点で共通するということができる。
　そして、引用発明における「上記制御信号を上記４つの雰囲気生成装置３、４、５、６の各々に送信すること」は、補正後の発明の「前記制御信号を前記知覚・認知可能な刺激手段に送信する工程」に相当するといえる。
　カ　引用発明は、「無線周波数タグ内の識別コードに依存して、雰囲気生成装置の調整に関して必要とされる情報を検索し、当該情報が置かれたインターネットサイトを自動的に訪問する」から、引用発明において、「無線周波数タグ内の識別コード」が「雰囲気生成装置の調整に関して必要とされる情報」に対する参照を含むことは明らかである。
　そうすると、後述する相違点に係る構成を除き、補正後の発明と引用発明とは、「前記入力データは雰囲気設定に関して必要とされる情報に対する参照」を含む点で共通するということができる。
　キ　以上から、補正後の発明と引用発明との一致点と相違点は、次のとおりである。
　
（ア）一致点
　「知覚・認知可能な刺激手段の寄与を制御することにより、特定の雰囲気を自動的に生成する方法であって、前記方法は、
　データ担体から入力データを読み取る工程と、
　前記入力データを雰囲気設定の提供者に送信する工程と、
　前記受け取られた入力データを雰囲気設定に関して必要とされる情報にマッピングする工程と、
　前記雰囲気設定に関して必要とされる情報を雰囲気コントローラに送信する工程と、
　前記雰囲気コントローラにおける前記受け取られた雰囲気設定に関して必要とされる情報を処理し、前記知覚・認知可能な刺激手段に対する制御信号を生成する工程と、
　前記制御信号を前記知覚・認知可能な刺激手段に送信する工程とを含み、
　前記入力データは雰囲気設定に関して必要とされる情報に対する参照を含む、方法。」
　
（イ）相違点
　・相違点１
　「雰囲気設定に関して必要とされる情報」について、補正後の発明の「特定の雰囲気設定」は「インターネット・サーバにあるディジタル著作権管理システムによって生成される」のに対し、引用発明における「雰囲気生成装置の調整に関して必要とされる情報」は「インターネットサイト」に置かれたもので、「インターネット・サーバにあるディジタル著作権管理システムによって生成される」との特定はされていない点。
　・相違点２
　補正後の発明において、「前記特定の雰囲気設定に対する、前記受け取られた入力データの前記マッピングはインターネット・サービスによって実行される」のに対し、上記エで検討したとおり、引用発明では、「無線周波数タグ内の識別コード」と「雰囲気生成装置の調整に関して必要とされる情報」との対応付け、すなわちマッピングがされていることは明らかであるといえるが、これが、「インターネット・サービスによって実行される」ことは特定されていない点。
　
（５）相違点についての検討
　ア　相違点１について
　上記（３）イ（ウ）のとおり、インターネットによって送信されるデータの著作権の管理を、送信を行うサーバにディジタル著作権管理システムを設け、該データに著作権の管理データを付与したデータを作成して行うことは、本願の優先日前、当該技術分野では周知の技術である。
　そうすると、引用発明において、「インターネットサイトに置かれた雰囲気生成装置の調整に関して必要とされる情報」の著作権の管理を行うこと、及びそのために、「インターネットサイトに置かれた雰囲気生成装置の調整に関して必要とされる情報」を、「インターネット・サーバにあるディジタル著作権管理システムによって生成」することは、上記周知技術に基づいて、当業者が容易に想到し得たものというべきである。
　以上から、相違点１に係る構成は、引用例の記載、及び上記周知技術に基づいて、当業者が容易に想到し得たものである。
　イ　相違点２について
　上記（４）エより、引用発明では、「無線周波数タグ内の識別コード」と「雰囲気生成装置の調整に関して必要とされる情報」とのマッピングが、「無線周波数タグ内の識別コードに依存して、雰囲気生成装置の調整に関して必要とされる情報が置かれたインターネットサイトを自動的に訪問する」ことで実行されると認められる。
　そして、引用発明における「無線周波数タグ内の識別コードに依存して、雰囲気生成装置の調整に関して必要とされる情報が置かれたインターネットサイトを自動的に訪問する」ことを、インターネット・サービスによって実行することは、当業者が普通に行い得るものである。
　そうすると、引用発明において、「無線周波数タグ内の識別コード」と「雰囲気生成装置の調整に関して必要とされる情報」とのマッピングを、インターネット・サービスによって実行することは、当業者が普通に行い得るものである。
　以上から、引用発明において、相違点２に係る構成とすることは、当業者が普通に行い得るものである。　
　
（６）補正後の発明の作用効果について
　本願明細書の記載によれば、補正後の発明は、「知覚・認知可能な刺激手段の寄与を制御することにより、特定の雰囲気をもたらすためにユーザをサポートすること」（段落【０００３】）を目的とし、これを達成するものである。
　しかし、上記（３）ア（ア）ａより、引用発明は、「室内の雰囲気を自動的に変化させるシステムであって、前記雰囲気が、当該室内に居る（複数の）人がしようとしている活動に依存して適応化される、及び／又はこの部屋で使用されている又は消費されている製品と関連付けられている雰囲気が生成される、システムを提供する」との目的を達成したものと認められるから、補正後の発明と引用発明との間に、作用効果上、格別の相違があるとは認められない。
　そうすると、補正後の発明が奏する作用効果は、格別のものとはいえない。
　
（７）まとめ 
　本件補正後の請求項９に係る発明（補正後の発明）は、引用例記載の発明（引用発明）、並びに周知例１及び２にみられるような周知技術に基づいて、当業者が容易に発明をすることができたものであり、特許法第２９条第２項の規定により、特許出願の際独立して特許を受けることができないものである。 
  
５　むすび 
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。 
　 
第３　本願発明の容易想到性について
　
１　本願発明について 
　平成２６年１月３１日付けの手続補正は上記のとおり却下されたので、本願発明は、前記第２の１で「本願発明」として認定したとおりである。
　
２　引用例の記載と引用発明 
　引用例の記載は、前記第２の４（３）ア（ア）のとおりであり、引用発明は、前記第２の４（３）ア（イ）で認定したとおりである。 
　
３　本願発明と引用発明との対比 
　前記第２の１及び２から明らかなように、本願発明は、本願補正後の発明から、平成２６年１月２１日に提出された手続補正書による補正事項（前記第２の２参照。）に係る技術的限定を取り除いたものである。
　そして、上記補正事項に係る技術的限定は、本願補正後の発明と引用発明との相違点１に係る構成を含むものである。
　そうすると、前記第２の４（４）より、本願発明と引用発明との一致点と相違点は、次のとおりであると認められる。 
　
・一致点
　「知覚・認知可能な刺激手段の寄与を制御することにより、特定の雰囲気を自動的に生成する方法であって、前記方法は、
　データ担体から入力データを読み取る工程と、
　前記入力データを雰囲気設定の提供者に送信する工程と、
　前記受け取られた入力データを特定の雰囲気設定にマッピングする工程と、
　前記特定の雰囲気設定を雰囲気コントローラに送信する工程と、
　前記雰囲気コントローラにおける前記受け取られた雰囲気設定を処理し、前記知覚・認知可能な刺激手段に対する制御信号を生成する工程と、
　前記制御信号を前記知覚・認知可能な刺激手段に送信する工程とを含み、
　前記入力データは特定の雰囲気設定に対する参照を含む、方法。」
　・相違点
　本願発明において、「前記特定の雰囲気設定に対する、前記受け取られた入力データの前記マッピングはインターネット・サービスによって実行される」のに対し、引用発明では、「無線周波数タグ内の識別コード」と「雰囲気生成装置の調整に関して必要とされる情報」との対応付け、すなわちマッピングがされていることは明らかであるといえるが、これが、「インターネット・サービスによって実行される」ことは特定されていない点。
 
４　相違点についての検討 
　本願発明と引用発明との相違点は、本願補正後の発明と引用発明との相違点２と同一である。 
　そして、前記第２の４（５）イで検討したとおり、補正後の発明と引用発明との相違点２は、当業者が普通に行い得るものである。
　そうすると、本願発明と引用発明との相違点も、当業者が普通に行い得るものであって、格別なものとはいえない。 
　そして、前記第２の４（６）の理由により、本願発明と引用発明との間に、作用効果上、格別の相違があるとは認められないから、本願発明が奏する作用効果は、格別のものとはいえない。
 
５　まとめ 
　以上のとおり、本願の請求項９に係る発明（本願発明）は、引用例記載の発明（引用発明）に基づいて、当業者が容易に発明をすることができたものであり、特許法第２９条第２項の規定により、特許を受けることができないものである。
　
第４　結言 
　 
　以上検討したとおり、本願の請求項９に係る発明は、特許法第２９条第２項の規定により特許を受けることができないから、その余の請求項について検討するまでもなく、本願は拒絶されるべきものである。 
　
　よって、結論のとおり審決する。